(57)【要約】      （修正有）【課題】一方の冷却流路に障害が発生した場合であっても熱伝導率を維持して冷却効率の低下を防止する手段を提供する。【解決手段】発熱体からの熱を受ける板状の受熱板４０と接して板面方向に延びるように開口された複数の長尺スリット３０ａを流れる第１の冷却媒体及び前記発熱体と接して板面方向に延びるように開口された複数のスリット３０ｂを流れる第２の冷却媒体との間で熱交換を行うための板状の熱交換板３０と、これら第１の冷却媒体と第２の冷却媒体を熱交換板３０のスリット３０ａ及びスリット３０ｂに個別に循環させる第１の冷却流路と第２の冷却流路とを中継板２０及び分流管１０から１３によって形成した冷却ジャケット。【選択図】図２
2014053359.tif 000002
【特許請求の範囲】
【請求項１】
第１の流入ポートから流入した第１の冷却媒体を平面方向に分流すると共に第２の流入ポートから流入した第２の冷却媒体を平面方向に分流する板状の分流手段と、前記分流手段によって分流した第１の冷却媒体を複数の開口部を通して下層に中継すると共に前記分流した第２の冷却媒体を複数の開口部を通して下層に中継する板状の中継手段と、前記中継手段によって中継された第１の冷却媒体を板面方向に流すと共に前記中継手段によって中継された第２の冷却媒体を板面方向に流し、前記第１の冷却媒体を板面方向に流して前記中継手段及び分流手段を通って第１の流出ポートから流出させると共に前記第２の冷却媒体を板面方向に流して前記中継手段及び分流手段を通って第２の流出ポートから流出させる板状の熱交換手段と、前記熱交換手段と接して発熱体からの熱を前記熱交換手段を流れる第１及び第２の冷却媒体と熱交換を行う板状の受熱手段とを密閉的に積層し、前記第１の冷却媒体が流れる第１の冷却流路と前記第２の冷却媒体が流れる第２の冷却流路とを備える冷却ジャケット。
【請求項２】
発熱体に接触され、前記発熱体からの熱を受ける板状の受熱板と、前記発熱体と接して内部の板面方向に延びるように開口された複数の長尺状第１スリットを流れる第１の冷却媒体及び前記発熱体と接して内部の板面方向に延びるように開口された複数の長尺状第２スリットを流れる第２の冷却媒体との間で熱交換を行うための板状の熱交換板と、前記熱交換板と接して板面垂直方向に開口された複数の開口部に前記第１及び第２の冷却媒体を個別に流す板状の中継板と、前記中継板の一側端に接して円筒状の第１の流入ポートから第１の冷却媒体を流入し、前記中継板の開口部を通した第１の冷却媒体を前記熱交換板の長尺状第１スリットの一端に供給する第１の分流管と、前記中継板と接して円筒状の第２の流入ポートから第２の冷却媒体を流入し、前記中継板の開口部を通して第２の冷却媒体を前記熱交換板の長尺状第２スリットの一端に供給する第２の分流管と、前記中継板の他側端に接して前記熱交換板の長尺状第１スリットを流通した第１の冷却媒体を前記中継板の開口部を通して流入し、円筒状の第１の流出ポートから流出する第３の分流管と、前記分流管及び中継板と接して前記熱交換板の長尺状第２スリットを流通した第２の冷却媒体を前記中継板の開口部を通して流入し、円筒状の第２の流出ポートから流出する第４の分流管とを備え、前記第１の冷却媒体が流れる第１の冷却流路と前記第２の冷却媒体が流れる第２の冷却流路とを備える冷却ジャケット。
【請求項３】
発熱体に接触され、前記発熱体からの熱を受ける板状の受熱板と、前記発熱体と接して内部の平面方向に延びるように開口された複数の長尺状第１スリットを流れる第１の冷却媒体及び前記発熱体と接して内部の板面方向に延びるように開口された複数の長尺状第２スリットを流れる第２の冷却媒体との間で熱交換を行うための板状の熱交換板と、前記熱交換板と接して板面垂直方向に開口された複数の開口部に前記第１の冷却媒体を流すと共に板面垂直方向に開口された複数の開口部に前記第２の冷却媒体を流す板状の第１の中継板と、前記第１の中継板と接して第３スリットによって第１の冷却媒体を板面方向に分流させると共に第４スリットによって第２の冷却媒体を板面方向に分流させる分流板と、前記分流板と接して板面に対して垂直方向に開口された複数の開口部に第１の冷却媒体を通すと共に板面に対して垂直方向に開口された複数の開口部に第２の冷却媒体を通す板状の第２の中継板と、前記第２の中継板と接して第１の流入ポートから第１の冷却媒体を流入し、円筒状の第１の流出ポートから流出すると共に円筒状の第２の流入ポートから第２の冷却媒体を流入し、円筒状の第２の流出ポートから流出する板状の接続板と、前記接続板と第１の流入ポート及び流出ポートと第２の流入及び流出ポートとを密閉的に覆う天板とを備え、前記第１の冷却媒体が流れる第１の冷却流路と前記第２の冷却媒体が流れる第２の冷却流路とを備える冷却ジャケット。
【請求項４】
第１の流入ポートから流入した第１の冷却媒体を平面方向に分流すると共に第２の流入ポートから流入した第２の冷却媒体を平面方向に分流する板状の分流手段と、前記分流手段によって分流した第１の冷却媒体を複数の開口部を通して下層に中継すると共に前記分流した第２の冷却媒体を複数の開口部を通して下層に中継する板状の中継手段と、前記中継手段によって中継された第１の冷却媒体を板面方向に流すと共に前記中継手段によって中継された第２の冷却媒体を板面方向に流し、前記第１の冷却媒体を板面方向に流して前記中継手段及び分流手段を通って第１の流出ポートから流出させると共に前記第２の冷却媒体を板面方向に流して前記中継手段及び分流手段を通って第２の流出ポートから流出させる板状の熱交換手段と、前記熱交換手段と接して発熱体からの熱を前記熱交換手段を流れる第１及び第２の冷却媒体と熱交換を行う板状の受熱手段とを密閉的に積層し、前記第１の冷却媒体が流れる第１の冷却流路と前記第２の冷却媒体が流れる第２の冷却流路とを備える冷却ジャケットを使用した冷却システムであって、前記冷却ジャケットの第１の流入ポートに第１の冷却媒体の流入口を接続し、第１の流出ポートに冷第１の冷却媒体の流出口を接続した第１の外部冷却流路を形成する第１のパイプと、前記第２の流入ポートに第２の冷却媒体の流入口を接続し、前記第２の流出ポートに第２の冷却媒体の流出口を接続した第２の外部冷却流路を形成する第２のパイプと、前記第１外部冷却流路中に設けられ、循環する第１の冷却媒体を貯めるための第１タンクと、前記第２外部冷却流路中に設けられ、循環する第２の冷却媒体を貯めるための第２タンクと、前記第１外部冷却流路中に設けられ、前記第１の冷却媒体を循環させるための第１循環ポンプと、前記第２外部冷却流路中に設けられ、前記第２の冷却媒体を循環させるための第２循環ポンプと、前記第１外部冷却流路中に設けられ、循環する冷却媒体からの熱を放熱するためのファンを有する第１ラジエータと、前記第２外部冷却流路中に設けられ、循環する冷却媒体からの熱を放熱するためのファンを有する第２ラジエータと、前記第１及び第２の循環ポンプの冷却媒体の循環量並びにラジエータのファン回転数を独立して駆動する制御部とを備える冷却システム。
【請求項５】
発熱体に接触され、前記発熱体からの熱を受ける板状の受熱板と、前記発熱体と接して板面方向に延びるように開口された複数の長尺状第１スリットを流れる第１の冷却媒体及び前記発熱体と接して内部の板面方向に延びるように開口された複数の長尺状第２スリットを流れる第２の冷却媒体との間で熱交換を行うための板状の熱交換板と、前記熱交換板と接して板面垂直方向に開口された複数の開口部に前記第１及び第２の冷却媒体を個別に流す板状の中継板と、前記中継板の一側端に接して円筒状の第１の流入ポートから第１の冷却媒体を流入し、前記中継板の開口部を通した第１の冷却媒体を前記熱交換板の長尺状第１スリットの一端に供給する第１の分流管と、前記中継板と接して円筒状の第２の流入ポートから第２の冷却媒体を流入し、前記中継板の開口部を通して第２の冷却媒体を前記熱交換板の長尺状第２スリットの一端に供給する第２の分流管と、前記中継板に接して前記熱交換板の長尺状第１スリットを流通した第１の冷却媒体を前記中継板の開口部を通して流入し、円筒状の第１の流出ポートから流出する第３の分流管と、前記分流管及び中継板と接して前記熱交換板の長尺状第２スリットを流通した第２の冷却媒体を前記中継板の開口部を通して流入し、円筒状の第２の流出ポートから流出する第４の分流管とを備え、前記第１の冷却媒体が流れる第１の冷却流路と前記第２の冷却媒体が流れる第２の冷却流路とを備える冷却ジャケットを使用した冷却システムであって、前記冷却ジャケットの第１の流入ポートに第１の冷却媒体の流入口を接続し、第１の流出ポートに冷第１の冷却媒体の流出口を接続した第１の外部冷却流路を形成する第１のパイプと、前記第２の流入ポートに第２の冷却媒体の流入口を接続し、前記第２の流出ポートに第２の冷却媒体の流出口を接続した第２の外部冷却流路を形成する第２のパイプと、前記第１外部冷却流路中に設けられ、循環する第１の冷却媒体を貯めるための第１タンクと、前記第２外部冷却流路中に設けられ、循環する第２の冷却媒体を貯めるための第２タンクと、前記第１外部冷却流路中に設けられ、前記第１の冷却媒体を循環させるための第１循環ポンプと、前記第２外部冷却流路中に設けられ、前記第２の冷却媒体を循環させるための第２循環ポンプと、前記第１外部冷却流路中に設けられ、循環する冷却媒体からの熱を放熱するためのファンを有する第１ラジエータと、前記第２外部冷却流路中に設けられ、循環する冷却媒体からの熱を放熱するためのファンを有する第２ラジエータと、前記第１及び第２の循環ポンプの冷却媒体の循環量並びにラジエータのファン回転数を独立して駆動する制御部とを備える冷却システム。
【請求項６】
発熱体に接触され、前記発熱体からの熱を受ける板状の受熱板と、前記発熱体と接して板面方向に延びるように開口された複数の長尺状第１スリットを流れる第１の冷却媒体及び前記発熱体と接して内部の板面方向に延びるように開口された複数の長尺状第２スリットを流れる第２の冷却媒体との間で熱交換を行うための板状の熱交換板と、前記熱交換板と接して板面垂直方向に開口された複数の開口部に前記第１の冷却媒体を流すと共に板面垂直方向に開口された複数の開口部に前記第２の冷却媒体を流す板状の第１の中継板と、前記第１の中継板と接して第３スリットによって第１の冷却媒体を板面方向に分流させると共に第４スリットによって第２の冷却媒体を板面方向に分流させる分流板と、前記分流板と接して板面に対して垂直方向に開口された複数の開口部に第１の冷却媒体を通すと共に板面に対して垂直方向に開口された複数の開口部に第２の冷却媒体を通す板状の第２の中継板と、前記第２の中継板と接して第１の流入ポートから第１の冷却媒体を流入し、円筒状の第１の流出ポートから流出すると共に円筒状の第２の流入ポートから第２の冷却媒体を流入し、円筒状の第２の流出ポートから流出する板状の接続板と、前記接続板と第１の流入ポート及び流出ポートと第２の流入及び流出ポートとを密閉的に覆う天板とを備え、前記第１の冷却媒体が流れる第１の冷却流路と前記第２の冷却媒体が流れる第２の冷却流路とを備える冷却ジャケットを使用した冷却システムであって、前記冷却ジャケットの第１の流入ポートに第１の冷却媒体の流入口を接続し、第１の流出ポートに冷第１の冷却媒体の流出口を接続した第１の外部冷却流路を形成する第１のパイプと、前記第２の流入ポートに第２の冷却媒体の流入口を接続し、前記第２の流出ポートに第２の冷却媒体の流出口を接続した第２の外部冷却流路を形成する第２のパイプと、前記第１外部冷却流路中に設けられ、循環する第１の冷却媒体を貯めるための第１タンクと、前記第２外部冷却流路中に設けられ、循環する第２の冷却媒体を貯めるための第２タンクと、前記第１外部冷却流路中に設けられ、前記第１の冷却媒体を循環させるための第１循環ポンプと、前記第２外部冷却流路中に設けられ、前記第２の冷却媒体を循環させるための第２循環ポンプと、前記第１外部冷却流路中に設けられ、循環する冷却媒体からの熱を放熱するためのファンを有する第１ラジエータと、前記第２外部冷却流路中に設けられ、循環する冷却媒体からの熱を放熱するためのファンを有する第２ラジエータと、前記第１及び第２の循環ポンプの冷却媒体の循環量並びにラジエータのファン回転数を独立して駆動する制御部とを備える冷却システム。
【請求項７】
前記制御部が、前記第１及び第２の外部冷却流路系統共に第１及び第２の循環ポンプの循環量並びにラジエータのファン回転数を最大に設定したフル冷却モードと、一方の外部冷却流路の第１又は第２の循環ポンプの循環量並びにラジエータのファン回転数を最大に設定しておき、障害発生時に他系統を動作せるバックアップモードと、前記第１及び第２の外部冷却流路系統共に動作させ、前記発熱体の発熱温度に応じて循環ポンプの循環量並びにラジエータのファン回転数を制御する省エネ運転モードの何れかの動作を行う請求項４から６何れかに記載の冷却システム。
【発明の詳細な説明】
【技術分野】
【０００１】
本発明は、発熱体の熱を吸収して放熱するための冷却ジャケット及び前記冷却ジャケットを使用した冷却システムに係り、特に複数の冷却流路を内蔵して故障に対する冗長性を向上した前記冷却ジャケット及び前記冷却ジャケットを使用した水冷システムに関する。
【背景技術】
【０００２】
従来、発熱体、例えばコンピュータ用のＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＰＵ（Ａｃｃｅｌｅｒａｔｅｄ  Ｐｒｏｃｅｓｓｉｎｇ  Ｕｎｉｔ）等の半導体素子は、稼働状態において高熱になることが知られており、これら半導体素子を冷却するために半導体素子に送風を行う送風ジャケットや内部に循環する水等を介して放熱を行う冷却（水冷）ジャケットが知られている。
【０００３】
この従来技術による冷却ジャケットに関する技術が記載された文献としては、下記の特許文献が挙げられ、特許文献１には、冷却ジャケットとラジエータと２個の循環ポンプとを備え、２台の循環ポンプの一方がその機能を停止した場合においても、他方の循環ポンプにより液体冷媒の循環を維持するように逆止弁及びバイパス通路を形成する複数の配管を施した冗長性のある冷却システムが記載され、特許文献２には、空冷ファンを有する冷却ジャケットに熱交換器を介して冷媒を循環する循環路を有する空冷・水冷兼用の冷却システムが記載され、特許文献３には、冷却水給水用の流入継手及び冷却水排出用の流出継手を対向する二辺に配置した板状の天板と、前記冷却水が前記流入継手から流出継手に向かって流れるための流路をコ字形状に形成する開口部を設けた板状の流路板と、この流路板の開口部を天板と協動して塞ぐ板形状のベース板とを有し、天板と流路板とベース板とを積層した状態で開口部の周縁を密閉した冷却ジャケットが記載さ、特許文献４には、冷却媒体の流路を２系統渦巻き状に形成した冷却ジャケットが記載されている。
【先行技術文献】
【特許文献】
【０００４】
【特許文献１】特開２００５−２２８２３７号公報
【特許文献２】特開２００７−１１６０５５号公報
【特許文献３】特開２０１１−２０８８１４号公報
【特許文献４】特開平８−２０４０７９号公報
【発明の概要】
【発明が解決しようとする課題】
【０００５】
前記の特許文献１に記載の冷却システムは、循環ポンプの故障に備えた２系統の冷媒流路を用意しておき、一方の循環ポンプが故障した場合であっても、他方の循環ポンプを用いて冷却を維持することができるものの、冷媒に目詰まりが発生した場合は発熱体の冷却を行うことができないという課題があり、前記の特許文献２に記載の技術は、水冷及び空冷の２系統の冷却システムによって一方の冷却系統が故障した場合であっても他方の冷却系によって冷却を維持することができるものの、充分な冷却性能を維持するが困難であるという課題があり、特許文献３に記載の技術は、簡易な構造で冷却システムを構成することができるものの、冷媒に目詰まりが発生した場合は発熱体の冷却を行うことができないという課題があり、特許文献４に記載の技術は平行して２系統渦巻き状に形成したことにより循環ポンプ容量を大きくすることなく効率よく発熱体を冷却することができるものの、一対の冷媒入出力口から冷媒を１台の循環ポンプを用いて循環させるため、循環ポンプに障害が発生した場合は冷却性能を維持することが困難であるという課題があった。
【０００６】
本発明の目的は、前述の従来技術による課題を解決しようとするものであり、冷却馬体の目詰まりや循環ポンプに障害が発生した場合であっても熱伝導率を維持して冷却効率を低下させることがない冷却ジャケット及び前記冷却ジャケットを使用した冷却システムを提供することである。
【課題を解決するための手段】
【０００７】
前記目的を達成するために請求項１に記載の本発明は、第１の流入ポートから流入した第１の冷却媒体を平面方向に分流すると共に第２の流入ポートから流入した第２の冷却媒体を平面方向に分流する板状の分流手段と、前記分流手段によって分流した第１の冷却媒体を複数の開口部を通して下層に中継すると共に前記分流した第２の冷却媒体を複数の開口部を通して下層に中継する板状の中継手段と、前記中継手段によって中継された第１の冷却媒体を板面方向に流すと共に前記中継手段によって中継された第２の冷却媒体を板面方向に流し、前記第１の冷却媒体を板面方向に流して前記中継手段及び分流手段を通って第１の流出ポートから流出させると共に前記第２の冷却媒体を板面方向に流して前記中継手段及び分流手段を通って第２の流出ポートから流出させる板状の熱交換手段と、前記熱交換手段と接して発熱体からの熱を前記熱交換手段を流れる第１及び第２の冷却媒体と熱交換を行う板状の受熱手段とを密閉的に積層し、前記第１の冷却媒体が流れる第１の冷却流路と前記第２の冷却媒体が流れる第２の冷却流路とを備えることを特徴とする。
【０００８】
また、請求項２に記載の発明は、発熱体に接触され、前記発熱体からの熱を受ける板状の受熱板と、前記発熱体と接して内部の板面方向に延びるように開口された複数の長尺状第１スリットを流れる第１の冷却媒体及び前記発熱体と接して内部の板面方向に延びるように開口された複数の長尺状第２スリットを流れる第２の冷却媒体との間で熱交換を行うための板状の熱交換板と、前記熱交換板と接して板面垂直方向に開口された複数の開口部に前記第１及び第２の冷却媒体を個別に流す板状の中継板と、前記中継板の一側端に接して円筒状の第１の流入ポートから第１の冷却媒体を流入し、前記中継板の開口部を通した第１の冷却媒体を前記熱交換板の長尺状第１スリットの一端に供給する第１の分流管と、前記中継板と接して円筒状の第２の流入ポートから第２の冷却媒体を流入し、前記中継板の開口部を通して第２の冷却媒体を前記熱交換板の長尺状第２スリットの一端に供給する第２の分流管と、前記中継板の他側端に接して前記熱交換板の長尺状第１スリットを流通した第１の冷却媒体を前記中継板の開口部を通して流入し、円筒状の第１の流出ポートから流出する第３の分流管と、前記分流管及び中継板と接して前記熱交換板の長尺状第２スリットを流通した第２の冷却媒体を前記中継板の開口部を通して流入し、円筒状の第２の流出ポートから流出する第４の分流管とを備え、前記第１の冷却媒体が流れる第１の冷却流路と前記第２の冷却媒体が流れる第２の冷却流路とを備えることを特徴とする。
【０００９】
また、請求項３に記載の発明は、発熱体に接触され、前記発熱体からの熱を受ける板状の受熱板と、前記発熱体と接して内部の平面方向に延びるように開口された複数の長尺状第１スリットを流れる第１の冷却媒体及び前記発熱体と接して内部の板面方向に延びるように開口された複数の長尺状第２スリットを流れる第２の冷却媒体との間で熱交換を行うための板状の熱交換板と、前記熱交換板と接して板面垂直方向に開口された複数の開口部に前記第１の冷却媒体を流すと共に板面垂直方向に開口された複数の開口部に前記第２の冷却媒体を流す板状の第１の中継板と、前記第１の中継板と接して第３スリットによって第１の冷却媒体を板面方向に分流させると共に第４スリットによって第２の冷却媒体を板面方向に分流させる分流板と、前記分流板と接して板面に対して垂直方向に開口された複数の開口部に第１の冷却媒体を通すと共に板面に対して垂直方向に開口された複数の開口部に第２の冷却媒体を通す板状の第２の中継板と、前記第２の中継板と接して第１の流入ポートから第１の冷却媒体を流入し、円筒状の第１の流出ポートから流出すると共に円筒状の第２の流入ポートから第２の冷却媒体を流入し、円筒状の第２の流出ポートから流出する板状の接続板と、前記接続板と第１の流入ポート及び流出ポートと第２の流入及び流出ポートとを密閉的に覆う天板とを備え、前記第１の冷却媒体が流れる第１の冷却流路と前記第２の冷却媒体が流れる第２の冷却流路とを備えることを特徴とする。
【００１０】
また、請求項４に記載の発明は、第１の流入ポートから流入した第１の冷却媒体を平面方向に分流すると共に第２の流入ポートから流入した第２の冷却媒体を平面方向に分流する板状の分流手段と、前記分流手段によって分流した第１の冷却媒体を複数の開口部を通して下層に中継すると共に前記分流した第２の冷却媒体を複数の開口部を通して下層に中継する板状の中継手段と、前記中継手段によって中継された第１の冷却媒体を板面方向に流すと共に前記中継手段によって中継された第２の冷却媒体を板面方向に流し、前記第１の冷却媒体を板面方向に流して前記中継手段及び分流手段を通って第１の流出ポートから流出させると共に前記第２の冷却媒体を板面方向に流して前記中継手段及び分流手段を通って第２の流出ポートから流出させる板状の熱交換手段と、前記熱交換手段と接して発熱体からの熱を前記熱交換手段を流れる第１及び第２の冷却媒体と熱交換を行う板状の受熱手段とを密閉的に積層し、前記第１の冷却媒体が流れる第１の冷却流路と前記第２の冷却媒体が流れる第２の冷却流路とを備える冷却ジャケットを使用した冷却システムであって、
前記冷却ジャケットの第１の流入ポートに第１の冷却媒体の流入口を接続し、第１の流出ポートに冷第１の冷却媒体の流出口を接続した第１の外部冷却流路を形成する第１のパイプと、前記第２の流入ポートに第２の冷却媒体の流入口を接続し、前記第２の流出ポートに第２の冷却媒体の流出口を接続した第２の外部冷却流路を形成する第２のパイプと、前記第１外部冷却流路中に設けられ、循環する第１の冷却媒体を貯めるための第１タンクと、前記第２外部冷却流路中に設けられ、循環する第２の冷却媒体を貯めるための第２タンクと、前記第１外部冷却流路中に設けられ、前記第１の冷却媒体を循環させるための第１循環ポンプと、前記第２外部冷却流路中に設けられ、前記第２の冷却媒体を循環させるための第２循環ポンプと、前記第１外部冷却流路中に設けられ、循環する冷却媒体からの熱を放熱するためのファンを有する第１ラジエータと、前記第２外部冷却流路中に設けられ、循環する冷却媒体からの熱を放熱するためのファンを有する第２ラジエータと、前記第１及び第２の循環ポンプの冷却媒体の循環量並びにラジエータのファン回転数を独立して駆動する制御部とを備えたことを特徴とする。
【００１１】
また、請求項５に記載の発明は、発熱体に接触され、前記発熱体からの熱を受ける板状の受熱板と、前記発熱体と接して板面方向に延びるように開口された複数の長尺状第１スリットを流れる第１の冷却媒体及び前記発熱体と接して内部の板面方向に延びるように開口された複数の長尺状第２スリットを流れる第２の冷却媒体との間で熱交換を行うための板状の熱交換板と、前記熱交換板と接して板面垂直方向に開口された複数の開口部に前記第１及び第２の冷却媒体を個別に流す板状の中継板と、前記中継板の一側端に接して円筒状の第１の流入ポートから第１の冷却媒体を流入し、前記中継板の開口部を通した第１の冷却媒体を前記熱交換板の長尺状第１スリットの一端に供給する第１の分流管と、前記中継板と接して円筒状の第２の流入ポートから第２の冷却媒体を流入し、前記中継板の開口部を通して第２の冷却媒体を前記熱交換板の長尺状第２スリットの一端に供給する第２の分流管と、前記中継板に接して前記熱交換板の長尺状第１スリットを流通した第１の冷却媒体を前記中継板の開口部を通して流入し、円筒状の第１の流出ポートから流出する第３の分流管と、前記分流管及び中継板と接して前記熱交換板の長尺状第２スリットを流通した第２の冷却媒体を前記中継板の開口部を通して流入し、円筒状の第２の流出ポートから流出する第４の分流管とを備え、前記第１の冷却媒体が流れる第１の冷却流路と前記第２の冷却媒体が流れる第２の冷却流路とを備える冷却ジャケットを使用した冷却システムであって、
前記冷却ジャケットの第１の流入ポートに第１の冷却媒体の流入口を接続し、第１の流出ポートに冷第１の冷却媒体の流出口を接続した第１の外部冷却流路を形成する第１のパイプと、前記第２の流入ポートに第２の冷却媒体の流入口を接続し、前記第２の流出ポートに第２の冷却媒体の流出口を接続した第２の外部冷却流路を形成する第２のパイプと、前記第１外部冷却流路中に設けられ、循環する第１の冷却媒体を貯めるための第１タンクと、前記第２外部冷却流路中に設けられ、循環する第２の冷却媒体を貯めるための第２タンクと、前記第１外部冷却流路中に設けられ、前記第１の冷却媒体を循環させるための第１循環ポンプと、前記第２外部冷却流路中に設けられ、前記第２の冷却媒体を循環させるための第２循環ポンプと、前記第１外部冷却流路中に設けられ、循環する冷却媒体からの熱を放熱するためのファンを有する第１ラジエータと、前記第２外部冷却流路中に設けられ、循環する冷却媒体からの熱を放熱するためのファンを有する第２ラジエータと、前記第１及び第２の循環ポンプの冷却媒体の循環量並びにラジエータのファン回転数を独立して駆動する制御部とを備えたことを特徴とする。
【００１２】
また、請求項６に記載の発明は、発熱体に接触され、前記発熱体からの熱を受ける板状の受熱板と、前記発熱体と接して板面方向に延びるように開口された複数の長尺状第１スリットを流れる第１の冷却媒体及び前記発熱体と接して内部の板面方向に延びるように開口された複数の長尺状第２スリットを流れる第２の冷却媒体との間で熱交換を行うための板状の熱交換板と、前記熱交換板と接して板面垂直方向に開口された複数の開口部に前記第１の冷却媒体を流すと共に板面垂直方向に開口された複数の開口部に前記第２の冷却媒体を流す板状の第１の中継板と、前記第１の中継板と接して第３スリットによって第１の冷却媒体を板面方向に分流させると共に第４スリットによって第２の冷却媒体を板面方向に分流させる分流板と、前記分流板と接して板面に対して垂直方向に開口された複数の開口部に第１の冷却媒体を通すと共に板面に対して垂直方向に開口された複数の開口部に第２の冷却媒体を通す板状の第２の中継板と、前記第２の中継板と接して第１の流入ポートから第１の冷却媒体を流入し、円筒状の第１の流出ポートから流出すると共に円筒状の第２の流入ポートから第２の冷却媒体を流入し、円筒状の第２の流出ポートから流出する板状の接続板と、前記接続板と第１の流入ポート及び流出ポートと第２の流入及び流出ポートとを密閉的に覆う天板とを備え、前記第１の冷却媒体が流れる第１の冷却流路と前記第２の冷却媒体が流れる第２の冷却流路とを備える冷却ジャケットを使用した冷却システムであって、
前記冷却ジャケットの第１の流入ポートに第１の冷却媒体の流入口を接続し、第１の流出ポートに冷第１の冷却媒体の流出口を接続した第１の外部冷却流路を形成する第１のパイプと、前記第２の流入ポートに第２の冷却媒体の流入口を接続し、前記第２の流出ポートに第２の冷却媒体の流出口を接続した第２の外部冷却流路を形成する第２のパイプと、前記第１外部冷却流路中に設けられ、循環する第１の冷却媒体を貯めるための第１タンクと、前記第２外部冷却流路中に設けられ、循環する第２の冷却媒体を貯めるための第２タンクと、前記第１外部冷却流路中に設けられ、前記第１の冷却媒体を循環させるための第１循環ポンプと、前記第２外部冷却流路中に設けられ、前記第２の冷却媒体を循環させるための第２循環ポンプと、前記第１外部冷却流路中に設けられ、循環する冷却媒体からの熱を放熱するためのファンを有する第１ラジエータと、前記第２外部冷却流路中に設けられ、循環する冷却媒体からの熱を放熱するためのファンを有する第２ラジエータと、前記第１及び第２の循環ポンプの冷却媒体の循環量並びにラジエータのファン回転数を独立して駆動する制御部とを備えたことを特徴とする。
【００１３】
また、請求項７に記載の発明は、請求項４から６何れかに記載の冷却システムにおいて、前記制御部が、前記第１及び第２の外部冷却流路系統共に第１及び第２の循環ポンプの循環量並びにラジエータのファン回転数を最大に設定したフル冷却モードと、一方の外部冷却流路の第１又は第２の循環ポンプの循環量並びにラジエータのファン回転数を最大に設定しておき、障害発生時に他系統を動作せるバックアップモードと、前記第１及び第２の外部冷却流路系統共に動作させ、前記発熱体の発熱温度に応じて循環ポンプの循環量並びにラジエータのファン回転数を制御する省エネ運転モードの何れかの動作を行うことを特徴とする。
【発明の効果】
【００１４】
本発明による冷却ジャケット及び冷却システムは、発熱体からの熱を受ける板状の受熱板と接して内部の板面方向に延びるように開口された複数の長尺状第１スリットを流れる第１の冷却媒体及び前記発熱体と接して内部の板面方向に延びるように開口された複数の長尺状第２スリットを流れる第２の冷却媒体との間で熱交換を行うための板状の熱交換板と、第１の冷却媒体と第２の冷却媒体を熱交換板の第１及び第２の長尺状スリットに個別に循環させる第１の冷却流路と第２の冷却流路とを設けたことによって、一方の冷却流路に障害が発生した場合であっても熱伝導率を維持して冷却効率の低下を防止することができる。
【図面の簡単な説明】
【００１５】
【図１】本発明の第１の実施形態による冷却ジャケットの外観を示す図
【図２】本発明の第１の実施形態による冷却ジャケットの分解組み立て構造及び第１流路を示す図
【図３】本発明の第１の実施形態による冷却ジャケットの分解組み立て構造及び第２流路を示す図
【図４】本発明の第２の実施形態による冷却ジャケットの外観を示す図
【図５】本発明の第２の実施形態による冷却ジャケットの分解組み立て構造及び第１流路を示す図
【図６】本発明の第２の実施形態による冷却ジャケットの分解組み立て構造及び第２流路を示す図
【発明を実施するための形態】
【００１６】
以下、本発明による冷却ジャケット及び前記冷却ジャケットを使用した冷却システムの実施形態について説明する。
［第１の実施形態］        
本発明の第１の実施形態による冷却ジャケットは、図１に示す如く、ＣＰＵ等の発熱体である半導体素子の上面に接触され、前記発熱体からの熱を受ける板状の受熱板４０と、前記受熱板４０と接して内部の平面（板面）方向に延びるように開口された長尺状の複数スリットを流通する水等の冷却媒体と熱交換を行うための板状の熱交換板３０と、前記熱交換板３０と接して上下方向（平面に対して垂直方向）に開口された複数の開口部を通して冷却媒体を流すための板状の中継板２０と、前記中継板２０の一側端に接して円筒状のポートＡｉｎから冷却媒体を流入し、前記中継板２０の開口部を通して冷却媒体を前記熱交換板３０のスリットの一端に流入する分流管１０と、前記分流管１０及び中継板２０と接して円筒状のポートＢｉｎから冷却媒体を流入し、前記中継板２０の開口部を通して冷却媒体を前記熱交換板３０のスリットの一端に流入する分流管１１と、前記中継板２０の他側端に接して前記ポートＢｉｎから冷却媒体を流入し、熱交換板３０の長尺状スリットを流通した冷却媒体を前記中継板２０の開口部を通して流入し、円筒状のポートＢｏｕｔから流出する分流管１３と、前記分流管１３及び中継板２０と接して前記ポートＡｉｎから冷却媒体を流入し、熱交換板３０の長尺状スリットを流通した冷却媒体を前記中継板２０の開口部を通して流入し、円筒状のポートＡｏｕｔから流出する分流管１２とを備え、前記分流管１０のポートＡｉｎから流入した冷却媒体を中継板２０の開口部を通して分流させながら熱交換板３０の長尺状スリットの一端に流入し、前記長尺状スリット内を流通させて前記受熱板４０からの熱を受熱した冷却媒体を長尺状スリットの他端から中継板２０の開口部を介して分流管１２のポートＡｏｕｔから流出すると共に、前記分流管１１のポートＢｉｎから流入した冷却媒体を中継板２０の開口部を通して分流させながら熱交換板３０の長尺状スリットの一端に流入し、前記長尺状スリット内を流通させて前記受熱板４０からの熱を受熱した冷却媒体を長尺状スリットの他端から中継板２０の開口部を介して分流管１３のポートＢｏｕｔから流出するように構成されている。
【００１７】
この第１の実施形態による分流管１０は、図２に示す如く、ポートＡｉｎから流入した冷却媒体を図面下方（受熱板４０方向）に分流して流出するために間隔を空けて開口部１０ａを開口し、前記分流管１１は、図３に示す如く、ポートＢｉｎから流入した冷却媒体を図面下方（受熱板４０方向）に分流して流出するために間隔を空けて開口部１１ｂを開口し、前記分流管１２は、図２に示す如く、熱交換板３０の長尺状スリットを流通した冷却媒体を中継板２０の開口部を通して流入し、円筒状のポートＡｏｕｔから流出するために間隔を空けて開口された開口部１２ａを開口し、前記分流管１３は、図３に示す如く、熱交換板３０の長尺状スリットを流通した冷却媒体を中継板２０の開口部を通して流入し、円筒状のポートＢｏｕｔから流出するために間隔を空けて開口された開口部１３ｂを開口するように構成されている。
【００１８】
前記中継板２０は、図２及び図３に示す如く、前記した分流管１０から分流管１３の開口部と対向して複数の開口部２０ａ１及び開口部２０ｂ１並びに開口部２０ｂ１及び開口部２０ｂ２を開口するように構成されている。
【００１９】
前記熱交換板３０は、前記中継板２０の開口部２０ａ１から流入される冷却媒体を一端に受け、長尺状に開口されて他端から冷却媒体を前記中継板２０の開口部２０ａ２に向かって流出するように開口されたスリット３０ａと、前記中継板２０の開口部２０ｂ１から流入される冷却媒体を一端に受け、長尺状に開口されて他端から冷却媒体を前記中継板２０の開口部２０ｂ２に向かって流出するように開口されたスリット３０ｂとを交互に開口するように構成されている。
【００２０】
このように構成された第１の実施形態による冷却ジャケットは、図２に破線で示した如く、分流管１０のポートＡｉｎから流入した第１の冷却媒体を分流管１０及び中継板２０によって分流しながら熱交換板３０の長尺状のスリット３０ａの一端に供給し、前記スリット３０ａを受熱板４０と接しながら発熱体からの熱を奪った第１の冷却媒体を前記スリット３０ａの他端から上方の中継板２０の開口部２０ａ２を介して分流管１２に導いてポートＡｏｕｔから排出する第１の冷却流路と、分流管１１のポートＢｉｎから流入した第２の冷却媒体を分流管１０及び中継板２０によって分流しながら熱交換板３０の長尺状のスリット３０ｂの一端に供給し、前記スリット３０ｂを受熱板４０と接しながら発熱体からの熱を奪った第２の冷却媒体を前記スリット３０ｂの他端から上方の中継板２０の開口部２０ｂ２を介して分流管１３に導いてポートＢｏｕｔから排出する第２の冷却流路とを形成している。
【００２１】
前記分流管１０から分流管１３と中継板２０と熱交換板３０と受熱板４０は、例えば、ステンレス、チタン、無酸素銅、輪青銅、ニッケル等の材料によって形成し、熱拡散接合又はロウ付けし、周縁を密閉して製造することができるが、これら材質及び接合方法に限られるものではない。
【００２２】
このように本実施形態による冷却ジャケットは、熱交換板３０に長尺状のスリット３０ａ及びスリット３０ｂとを交互に設け、これらスリット３０ａ及びスリット３０ｂに独立して第１の冷却流路を通る第１の冷却媒体と第２の冷却流路を通る第２の冷却媒体とを独立して循環させることによって、受熱板４０の全面にわたって発熱体からの熱を冷却媒体により吸収することができると共に、一方の冷却流路に障害が発生した場合であっても、他方の冷却流路によって冷却性能を維持することができる。
【００２３】
特に、本実施形態による冷却ジャケットは、熱交換板３０に２系統の冷却流路を交互且つ全面にわたって配置したことによって、一方の冷却流路に障害が発生した場合であっても、受熱板４０の全面にわたって設けられた他方の冷却流路を循環する冷却媒体によって受熱板４０の全面から熱を吸収して冷却性能を維持することができる。
【００２４】
また、本実施形態による冷却ジャケットは、前述した冷却ジャケットのポートＡｉｎに冷却媒体の流入口を接続し、ポートＡｏｕｔに冷却媒体の流出口を接続した第１の外部冷却流路を形成するパイプと、冷却ジャケットのポートＢｉｎに冷却媒体の流入口を接続し、ポートＢｏｕｔに冷却媒体の流出口を接続した第２の外部冷却流路を形成するパイプと、前記第１外部冷却流路中に設けられ、循環する冷却媒体を貯めるための第１タンクと、前記第２外部冷却流路中に設けられ、循環する冷却媒体を貯めるための第２タンクと、前記第１外部冷却流路中に設けられ、冷却媒体を循環させるための第１循環ポンプと、前記第２外部冷却流路中に設けられ、冷却媒体を循環させるための第２循環ポンプと、前記第１外部冷却流路中に設けられ、循環する冷却媒体からの熱を放熱するためのファンを有する第１ラジエータと、前記第２外部冷却流路中に設けられ、循環する冷却媒体からの熱を放熱するためのファンを有する第２ラジエータと、前記第１及び第２の循環ポンプの冷却媒体の循環量並びに第１及び第のラジエータのファン回転数を独立して駆動する制御部とから冷却システムを構成することができる。
【００２５】
このように構成した冷却システムは、例えば、（１）両系統共に循環ポンプの循環量並びにラジエータのファン回転数を最大に設定したフル冷却モードと、（２）片系統のみの循環ポンプの循環量並びにラジエータのファン回転数を最大に設定しておき、障害発生時に他系統を動作せるバックアップモードと、（３）両系統共に動作させるが、発熱体の発熱温度に応じて循環ポンプの循環量並びにラジエータのファン回転数を制御する省エネ運転モードの何れかを採用することができる。
【００２６】
このように本実施形態による冷却ジャケット及び冷却システムは、熱交換板３０に冷却媒体の冷却流路を複数のスリットによって交互に設けたことによって、両系統の冷却流路においても同等の放熱面積及び冷却性能を有することができると共に、簡易な構造且つ小型のために高密度に実装されているＣＰＵ等の発熱体に取り付けることができる。
【００２７】
［第２の実施形態］
本発明の第２の実施形態による冷却ジャケットは、図４に示す如く、ＣＰＵ等の発熱体である半導体素子の上面に接触され、前記発熱体からの熱を受ける板状の受熱板４０と、この受熱板４０と接して板面方向に延びるように開口された長尺状の複数スリットを流通する冷却媒体と熱交換を行うための板状の熱交換板６００と、前記熱交換板６００と接して上下方向（平面に対して垂直方向）に開口された複数の開口部に冷却媒体を通すための板状の第１の中継板５００と、前記第１の中継板５００と接して内部のスリットによって冷却媒体を平面方向に分流させる分流板４００と、前記分流板４００と接して上下方向（平面に対して垂直方向）に開口された複数の開口部に冷却媒体を通すための板状の第２の中継板３００と、前記第２の中継板３００と接して冷却媒体円筒状のポートＡｉｎから冷却媒体を流入し、円筒状のポートＡｏｕｔから流出すると共に円筒状のポートＢｉｎから冷却媒体を流入し、円筒状のポートＢｏｕｔから流出する接続板２００と、前記接続板２００及びポートＡｉｎ、ポートＡｏｕｔ、ポートＢｉｎ、ポートＢｏｕｔを覆う天板１００とを備える。
【００２８】
この冷却ジャケットは、前記接続板２００のスリットに接続したポートＡｉｎから流入した冷却媒体を前記スリット及び第１中継板３００の開口部を通して分流板４００に供給し、前記分流板４００が供給された冷却媒体をスリットによって平面方向に複数に分流して第１中継板５００に供給し、前記第１中継板５００が分流板４００のスリットに沿って開口された複数の開口部によって熱交換板６００の長尺状スリットの一端に流入し、前記長尺状スリット内を流通させて前記受熱板４０からの熱を受熱した冷却媒体を長尺状スリットの他端から第１中継板５００の開口部、分流板４００のスリット、第２中継板３００の開口部を通して接続板２００のスリットに供給し、ポートＡｏｕｔから流出すると共に、前記接続板２００のスリットに接続したポートＢｉｎから流入した冷却媒体を前記スリット及び第１中継板３００の開口部を通して分流板４００に供給し、前記分流板４００が供給された冷却媒体をスリットによって平面方向に複数に分流して第１中継板５００に供給し、前記第１中継板５００が分流板４００のスリットに沿って開口された複数の開口部によって熱交換板６００の長尺状スリットの一端に流入し、前記長尺状スリット内を流通させて前記受熱板４０からの熱を受熱した冷却媒体を長尺状スリットの他端から第１中継板５００の開口部、分流板４００のスリット、第２中継板３００の開口部を通して接続板２００のスリットに供給し、ポートＢｏｕｔから流出するように構成されている。
【００２９】
すなわち、本実施形態による冷却ジャケットは、前述した第１実施形態同様にポートＡｉｎから流入した第１の冷却媒体をポートＡｏｕｔから流出する第１の冷却流路と、ポートＢｉｎから流入した第２の冷却媒体をポートＢｏｕｔから流出する第２の冷却流路とを独立して形成している。
【００３０】
この第２の実施形態による接続板２００は、図５に示す如く、ポートＡｉｎから流入した冷却媒体を中央近辺まで導いて図面下方（受熱板４０方向）に流出するために長尺且つ鍵状に流路を形成したスリット２００ａ１と、ポートＢｉｎから流入した冷却媒体を中央近辺まで導いて図面下方に流出するために長尺且つ鍵状に流路を形成したスリット２００ｂ１と、ポートＡｉｎから流入し、第２中継板３００から上昇した冷却媒体をポートＡｏｕｔに導くスリット２００ａ２と、ポートＢｉｎから流入し、第２中継板３００から上昇した冷却媒体をポートＢｏｕｔに導くスリット２００ｂ２とを形成している。
【００３１】
前記第２の中継板３００は、前記接続板２００のスリット２００ａ１の端部から流入した冷却媒体を分流板４００に流出するように開口された開口部３００ａ１と、ポートＡｉｎから流入し、分流板４００から上昇した冷却媒体を接続板２００のスリット２００ａ２に導く開口部３００ａ２とを形成している。
【００３２】
前記分流板４００は、前記ポートＡｉｎから流入し、第２の中継板３００の開口部３００ａ１を通して中央近傍に流入した冷却媒体を平面２方向（平面縁方向）に分流するスリット４００ａ１と、前記第１中継板５００から上昇した冷却媒体を前記第２の中継板３００の開口部３００ａ２に導くように開口されたスリット４００ａ２とを形成している。
【００３３】
前記第１の中継板５００は、前記ポートＡｉｎから流入し、前記分流板４００のスリット４００ａ１から流出した冷却媒体を前記スリット４００ａ１方向に沿って下方に流出するように開口された複数の開口部５００ａ１と、前記ポートＢｉｎから流入し、前記熱交換板６００のスリットの両端部から流出した冷却媒体を第２中継板の開口部５００ａ２を通して分流板４００のスリット４００ａ２に流出するように開口された開口部５００ａ２とを形成している。
【００３４】
前記熱交換板６００は、前記ポートＡｉｎから流入し、前記第１の中継板５００の開口部５００ａ１から流出した冷却媒体を中央近傍に導入した平面２方向に導くように長尺状に開口されたスリット６００ａ１と、前記ポートＢｉｎから流入し、前記第１の中継板５００の開口部５００ｂ１から流出した冷却媒体を中央近傍に導入した平面２方向に導くように長尺状に開口されたスリット６００ｂ１（図６参照）とを交互に形成している。
【００３５】
このように構成された第２の実施形態による冷却ジャケットは、図５に破線で示した如く、分流管１０のポートＡｉｎから流入した第１の冷却媒体を、接続板２００のスリット２００ａ１と第２中継板３００の開口部３００ａ１と分流板４００のスリット４００ａ１と第１中継板５００の開口部５００ａ１と熱交換板６００のスリット６００ａ１の中央近傍に流入し、前記スリット６００ａ１を流れることによって受熱板４０からの熱を吸収させ、第１中継板５００の開口部５００ａ２と分流板４００のスリット４００ａ２と第２中継板３００の開口部３００ａ２を通して接続板２００のポートＡｏｕｔから流出する第１の冷却流路と、図６に破線で示した如く、分流管１０のポートＢｉｎから流入した第２の冷却媒体を、接続板２００のスリット２００ｂ１と第２中継板３００の開口部３００ｂ１と分流板４００のスリット４００ｂ１と第１中継板５００の開口部５００ｂ１と熱交換板６００のスリット６００ｂ１の中央近傍に流入し、前記スリット６００ｂ１を流れることによって受熱板４０からの熱を吸収させ、第１中継板５００の開口部５００ｂ２と分流板４００のスリット４００ｂ２と第２中継板３００の開口部３００ｂ２を通して接続板２００のポートＢｏｕｔから流出する第２の冷却流路とを形成している。
【００３６】
前記天板１００と接続板２００と第２中継板３００と分流板４００と第１中継板５００と熱交換板６００と受熱板４０は、第１実施形態と同様に、ステンレス、チタン、無酸素銅、輪青銅、ニッケル等の材料によって形成し、熱拡散接合又はロウ付けし、周縁を密閉して製造することができるが、これら材質及び接合方法に限られるものではない。また、各板材は、例えば、縦横が寸法５４ｍｍ×５４ｍｍであり、厚みが、天板０．３ｍｍ、接続板１１．３ｍｍ、第１中継板７．８ｍｍ、分流板７．３ｍｍ、第２中継板３．８ｍｍ、熱交換板３．３ｍｍ、受熱板１．３ｍｍと計約３４ｍｍ程度の小型に製造することができ、第１実施形態においても同様である。
【００３７】
このように第２の実施形態による冷却ジャケットは、熱交換板６００に長尺状のスリット６００ａ１及びスリット６００ｂ２とを交互に設け、これらスリット６００ａ１及びスリット６００ｂ２に独立して第１の冷却流路からの第１の冷却媒体と第２の冷却流路からの第２の冷却媒体とを独立して循環させることによって、受熱板４０の全面にわたって発熱体からの熱を冷却媒体により吸収することができると共に、一方の冷却流路に障害が発生した場合であっても、他方の冷却流路によって冷却性能を維持することができ、熱交換板６００に２系統の冷却流路（長尺状スリット）を交互且つ全面にわたって配置したことによって、一方の冷却流路に障害が発生した場合であっても、受熱板４０の全面にわたって設けられた他方の冷却流路を循環する冷却媒体によって受熱板４０の全面から熱を吸収して冷却性能を維持することができる。
【００３８】
更に、本実施形態なよる冷却ジャケットは、第１の実施形態の冷却システムと同様に、冷却ジャケットのポートＡｉｎに冷却媒体の流入口を接続し、ポートＡｏｕｔに冷却媒体の流出口を接続した第１の外部冷却流路を形成するパイプと、冷却ジャケットのポートＢｉｎに冷却媒体の流入口を接続し、ポートＢｏｕｔに冷却媒体の流出口を接続した第２の外部冷却流路を形成するパイプと、前記第１外部冷却流路中に設けられ、循環する冷却媒体を貯めるための第１タンクと、前記第２外部冷却流路中に設けられ、循環する冷却媒体を貯めるための第２タンクと、前記第１外部冷却流路中に設けられ、冷却媒体を循環させるための第１循環ポンプと、前記第２外部冷却流路中に設けられ、冷却媒体を循環させるための第２循環ポンプと、前記第１外部冷却流路中に設けられ、循環する冷却媒体からの熱を放熱するためのファンを有する第１ラジエータと、前記第２外部冷却流路中に設けられ、循環する冷却媒体からの熱を放熱するためのファンを有する第２ラジエータと、前記第１及び第２の循環ポンプの冷却媒体の循環量並びに第１及び第のラジエータのファン回転数を独立して駆動する制御部とから冷却システムを構成することができる。
【００３９】
このように構成した冷却システムは、例えば、（１）両系統共に循環ポンプの循環量並びにラジエータのファン回転数を最大に設定したフル冷却モードと、（２）片系統のみの循環ポンプの循環量並びにラジエータのファン回転数を最大に設定しておき、障害発生時に他系統を動作せるバックアップモードと、（３）両系統共に動作させるが、発熱体の発熱温度に応じて循環ポンプの循環量並びにラジエータのファン回転数を制御する省エネ運転モードの何れかを採用することができる。
【００４０】
このように本実施形態による冷却ジャケット及び冷却システムは、熱交換板６００に冷却媒体の冷却流路を複数のスリットによって交互に設けたことによって、両系統の冷却流路においても同等の放熱面積及び冷却性能を有することができると共に、簡易な構造且つ小型のために高密度に実装されているＣＰＵ等の発熱体に取り付けることができる。
【００４１】
なお、本発明による冷却ジャケットの構造は、前述した実施形態の形状に限定されるものではなく、複数のポートから流入した冷却媒体を平面方向に個々に分流する板状の分流手段と、前記分流手段によって分流した個々の冷却媒体を複数の開口部を通して下層に中継する板状の中継手段と、前記中継手段によって中継された冷却媒体を個々に平面方向に流し、前記中継手段及び分流手段を通って複数のポートから流出させる板状の熱交換手段と、前記熱交換手段と接して発熱体からの熱を前記熱交換手段を流れる冷却媒体と熱交換を行う板状の受熱手段とを積層し、周縁を密閉する構造のものも本発明に含まれる。
【００４２】
また、本発明による冷却ジャケットの冷却対象は、半導体素子に限られるものではなく、例えば、筒状の外周面を持つ電気モータの外周面に密着するように湾曲した板状部材を用いて構成しても良い。
【符号の説明】
【００４３】
１０から１３  分流管、２０  中継板、３０  熱交換板、４０  受熱板、
１００  天板、２００  接続板、３００  第２中継板、４００  分流板、
５００  第１中継板、６００  熱交換板
【図１】
2014053359.tif 000003
【図２】
2014053359.tif 000004
【図３】
2014053359.tif 000005
【図４】
2014053359.tif 000006
【図５】
2014053359.tif 000007
【図６】
2014053359.tif 000008